(57)【要約】【課題】ＰＯＮシステムにおいて、周波数利用効率を向上させることを目的とする。【解決手段】ユーザ毎に異なるサブキャリアをユーザ毎のデータで変調して多重した光多重信号を局用装置から出力し、前記光多重信号を分岐してユーザ毎の複数の加入者用装置に伝送し、各加入者用装置でユーザ毎のデータを復調するＰＯＮシステムであって、局用装置からテスト用信号を送信し、テスト用信号を受信した複数の加入者用装置における各サブキャリアに関する伝送特性を取得する取得手段と、複数の加入者用装置における各サブキャリアに関する伝送特性に応じて前記複数の加入者用装置に１又は複数のサブキャリアを割当てる割当手段と、を有する。【選択図】    図１
2014075751.tif 000002
【特許請求の範囲】
【請求項１】
ユーザ毎に異なるサブキャリアをユーザ毎のデータで変調して多重した光多重信号を局用装置から出力し、前記光多重信号を分岐してユーザ毎の複数の加入者用装置に伝送し、各加入者用装置でユーザ毎のデータを復調するＰＯＮシステムであって、
前記局用装置からテスト用信号を送信し、前記テスト用信号を受信した前記複数の加入者用装置における各サブキャリアに関する伝送特性を取得する取得手段と、
前記複数の加入者用装置における各サブキャリアに関する伝送特性に応じて前記複数の加入者用装置に１又は複数のサブキャリアを割当てる割当手段と、
を有することを特徴としたＰＯＮシステム。
【請求項２】
請求項１記載のＰＯＮシステムにおいて、
前記局用装置は、
前記割当手段からユーザ毎に割当てられた１又は複数のサブキャリアを前記ユーザ毎のデータでデジタル変調する複数の逆フーリエ変換回路と、
前記複数の逆フーリエ変換回路が出力するユーザ毎に割当てられた１又は複数の被変調サブキャリアを前記割当手段からユーザ毎に割当てられた帯域に周波数変換する周波数変換回路と、
前記周波数変換回路の出力する各被変調サブキャリアを合成したのち電光変換を行って前記光多重信号として出力する電光変換回路と、
を有することを特徴としたＰＯＮシステム。
【請求項３】
請求項２記載のＰＯＮシステムにおいて、
前記ユーザ毎の複数の加入者用装置は、
受光した前記光多重信号を光電変換する光電変換回路と、
前記光電変換回路の出力信号を供給されて前記割当手段からユーザ毎に割当てられた帯域を通過させる帯域フィルタ回路と、
前記帯域フィルタ回路それぞれを通過した前記割当手段からユーザ毎に割当てられた１又は複数の被変調サブキャリアから前記ユーザ毎のデータをデジタル復調するフーリエ変換回路と、
を有することを特徴とするＰＯＮシステム。
【請求項４】
請求項３記載のＰＯＮシステムにおいて、
前記取得手段は、サブキャリア毎の復調信号のＳＮ比を前記各サブキャリアに関する伝送特性として取得することを特徴とするＰＯＮシステム。
【請求項５】
請求項３又は４記載のＰＯＮシステムにおいて、
前記割当手段は、前記複数の加入者用装置における各サブキャリアに関する伝送特性から、前記複数の加入者用装置におけるサブキャリア毎の伝送可能ビット数を決定し、前記複数の加入者用装置におけるサブキャリア毎の伝送可能ビット数と、前記複数の加入者用装置それぞれの必要ビット数から、１又は複数のサブキャリアの伝送可能ビット数の合計ビット数が前記必要ビット数以上となるように、前記複数の加入者用装置に１又は複数のサブキャリアを割当てることを特徴とするＰＯＮシステム。
【請求項６】
ユーザ毎に異なるサブキャリアをユーザ毎のデータで変調して多重した光多重信号を局用装置から出力し、前記光多重信号を分岐してユーザ毎の複数の加入者用装置に伝送し、各加入者用装置でユーザ毎のデータを復調するＰＯＮシステムのサブキャリア割当方法であって、
前記局用装置からテスト用信号を送信し、前記テスト用信号を受信した前記複数の加入者用装置における各サブキャリアに関する伝送特性を取得し、
前記複数の加入者用装置における各サブキャリアに関する伝送特性に応じて前記複数の加入者用装置に１又は複数のサブキャリアを割当てる、
ことを特徴とするサブキャリア割当方法。
【請求項７】
請求項６記載のサブキャリア割当方法において、
前記伝送特性を取得は、サブキャリア毎の復調信号のＳＮ比を前記各サブキャリアに関する伝送特性として取得することを特徴とするサブキャリア割当方法。
【請求項８】
請求項７記載のサブキャリア割当方法において、
前記サブキャリアの割当ては、前記複数の加入者用装置における各サブキャリアに関する伝送特性から、前記複数の加入者用装置におけるサブキャリア毎の伝送可能ビット数を決定し、前記複数の加入者用装置におけるサブキャリア毎の伝送可能ビット数と、前記複数の加入者用装置それぞれの必要ビット数から、１又は複数のサブキャリアの伝送可能ビット数の合計ビット数が前記必要ビット数以上となるように、前記複数の加入者用装置に１又は複数のサブキャリアを割当てることを特徴とするサブキャリア割当方法。
【発明の詳細な説明】
【技術分野】
【０００１】
本発明は、ＰＯＮシステム及びサブキャリア割当方法に関する。
【背景技術】
【０００２】
ＦＴＴＨ（Ｆｉｂｅｒ  Ｔｏ  Ｔｈｅ  Ｈｏｍｅ）を実現する光加入者系システム構築技術として光ファイバの途中にカプラを入れて分岐を行うＰＯＮ（Ｐａｓｓｉｖｅ  Ｏｐｔｉｃａｌ  Ｎｅｔｗｏｒｋ）は、ファイバ敷設費用が削減できるメリットから一般化され普及する方向にある。
【０００３】
図１にＰＯＮシステムの一例の構成図を示す。図１において、ＯＬＴ（Ｏｐｔｉｃａｌ  Ｌｉｎｅ  Ｔｅｒｍｉｎａｌ）１１はユーザのｄａｔａ＃１〜ｄａｔａ＃３それぞれで変調された光信号が時分割多重された光多重信号を出力する。この光多重信号は光スプリッタ１２で３分岐され、互いに長さの異なる光ファイバ１３，１４，１５それぞれによってＯＮＵ（Ｏｐｔｉｃａｌ  Ｎｅｔｗｏｒｋ  Ｕｎｉｔ）１６，１７，１８に伝送される。
【０００４】
ＯＮＵ１６は光多重信号から元のｄａｔａ＃１を復調する。ＯＮＵ１７は光多重信号から元のｄａｔａ＃２を復調する。ＯＮＵ１８は光多重から元のｄａｔａ＃３を復調する。
【０００５】
ところで、ＯＦＤＭ信号のサブキャリアについて、ＴＤＭ（Ｔｉｍｅ  Ｄｉｖｉｓｉｏｎ  Ｍｕｌｔｉｐｌｅｘｉｎｇ）で多重化する技術が提案されている（例えば特許文献１参照）。
【０００６】
また、マルチキャリア信号のサブキャリア数を変更してマルチレート伝送を行う技術が提案されている（例えば特許文献２参照）。
【先行技術文献】
【特許文献】
【０００７】
【特許文献１】特開２００９−１０５８９０号公報
【特許文献２】特開２０００−２６１４５７号公報
【発明の概要】
【発明が解決しようとする課題】
【０００８】
図１のＰＯＮシステムでは、ユーザによってＯＮＵ１６，１７，１８までの光ファイバ１３，１４，１５の長さが異なるために、ファイバ損失や分散とチャープによる帯域制限の様子が異なっている。図２にＯＮＵ１６，１７，１８それぞれにおける伝送特性としてのＳＮＲ（Ｓｉｇｎａｌ  ｔｏ  Ｎｏｉｓｅ  Ｒａｔｉｏ）の周波数特性を示す。図中、ＩａはＯＮＵ１６における伝送特性、ＩｂはＯＮＵ１７における伝送特性、ＩｃはＯＮＵ１８における伝送特性である。
【０００９】
このように、ＯＮＵ１６，１７，１８それぞれにおける伝送特性つまりＳＮＲの周波数特性が異なるために、伝送可能なビットレートが光ファイバ１３，１４，１５の長さによって制限を受ける。また、ＯＮＵ１６，１７，１８すべてにおいて図２に示す３種類のＳＮＲの周波数特性のうち、どの周波数特性であってもＳＮＲ値が満足できる周波数帯域（例えば０〜６ＧＨｚ，１４ＧＨｚなど）の光信号しか使用できないために、周波数利用効率が低下するという問題があった。
【００１０】
開示のＰＯＮシステムは、周波数利用効率を向上させることを目的とする。
【課題を解決するための手段】
【００１１】
開示の一実施形態によるＰＯＮシステムは、ユーザ毎に異なるサブキャリアをユーザ毎のデータで変調して多重した光多重信号を局用装置から出力し、前記光多重信号を分岐してユーザ毎の複数の加入者用装置に伝送し、各加入者用装置でユーザ毎のデータを復調するＰＯＮシステムであって、
前記局用装置からテスト用信号を送信し、前記テスト用信号を受信した前記複数の加入者用装置における各サブキャリアに関する伝送特性を取得する取得手段と、
前記複数の加入者用装置における各サブキャリアに関する伝送特性に応じて前記複数の加入者用装置に１又は複数のサブキャリアを割当てる割当手段と、
を有する。
【発明の効果】
【００１２】
本実施形態によれば、周波数利用効率を向上させることができる。
【図面の簡単な説明】
【００１３】
【図１】ＰＯＮシステムの一例の構成図である。
【図２】各ＯＮＵにおける伝送特性を示す図である。
【図３】ＰＯＮシステムの一実施形態の構成図である。
【図４】サブキャリア割当回路の一実施形態のハードウェア構成図である。
【図５】初期調整処理の一実施形態のフローチャートである。
【図６】ｎチャネルのサブキャリアを示す図である。
【図７】サブキャリア毎の伝送特性を示す図である。
【図８】各ＯＮＵにおける伝送特性を示す図である。
【図９】伝送可能ビット数テーブルの一例を示す図である。
【図１０】運用時の各部動作を説明するための図である。
【発明を実施するための形態】
【００１４】
以下、図面に基づいて実施形態を説明する。
【００１５】
＜ＰＯＮシステム＞
図３にＰＯＮシステムの一実施形態の構成図を示す。図３において、ＰＯＮシステムは、局用装置であるＯＬＴ２０と、ユーザ毎の加入者用装置であるＯＮＵ３０−１，３０−２，…，３０−ｍを有している。ＯＬＴ２０は光ファイバ４１によって光スプリッタ４２に接続され、光スプリッタ４２は異なる長さＤ１〜Ｄｎそれぞれの光ファイバ４３−１〜４３−ｍによってＯＮＵ３０−１〜３０−ｍに接続されている。
【００１６】
ＯＬＴ２０内の分離回路２１にはユーザ分の送信データが供給される。送信データは例えば時分割多重されている。分離回路２１は上記の送信データをユーザ毎に分離してマルチキャリア信号変調回路（ＭＣ変調回路）２２−１〜２２−ｍに供給する。マルチキャリア信号変調回路２２−１〜２２−ｍそれぞれはサブキャリア割当回路２３からサブキャリアの割当てと変調方式を指示されている。
【００１７】
マルチキャリア信号変調回路２２−１〜２２−ｍは、シリアル／パラレル変換部と、マッパ部と、ＩＦＦＴ（Ｉｎｖｅｒｓｅ  Ｆａｓｔ  Ｆｏｕｒｉｅｒ  Ｔｒａｎｓｆｏｒｍ）部と、パラレル／シリアル変換部を有している。シリアル／パラレル変換部は送信データを各サブキャリアに振り分ける。マッパ部は割当てられたサブキャリアと変調方式に応じてデータの変調を行う。マッパ部の出力する変調信号はＩＦＦＴ部で時間領域の信号に変換される。パラレル／シリアル変換部は各サブキャリアの変調信号を多重して帯域アップコンバージョン回路２４に供給する。
【００１８】
帯域アップコンバージョン回路２４はサブキャリア割当回路２３からユーザ毎に帯域を指示されており、帯域アップコンバージョン回路２４それぞれはマルチキャリア信号変調回路２２−１〜２２−ｍから供給される１又は複数のサブキャリアをユーザ毎に指示された帯域にアップコンバージョンして出力する。ユーザ毎にアップコンバージョンされた信号は合成回路２５で合成つまり周波数多重される。合成回路２５の出力するマルチキャリア信号はＥ／Ｏ変換部２６で電気信号から光信号に変換されて光ファイバ４１に送出される。この光信号は光スプリッタ４２でｍ分岐され、互いに長さの異なる光ファイバ４３−１〜４３−ｍそれぞれによってＯＮＵ３０−１〜３０−ｍに伝送される。
【００１９】
光ファイバ４３−１〜４３−ｍを伝送された光信号はＯＮＵ３０−１〜３０−ｍそれぞれ内のＯ／Ｅ変換部３１−１〜３１−ｍで光信号から電気信号に変換され、帯域フィルタ（ＢＰＦ）３２−１〜３２−ｍに供給される。帯域フィルタ３２−１〜３２−ｍはサブキャリア割当回路２３からユーザ毎に通過帯域を指示され、帯域フィルタ３２−１〜３２−ｍは指示された帯域の信号を通過してマルチキャリア信号復調回路（ＭＣ復調回路）３３−１〜３３−ｍに供給する。マルチキャリア信号復調回路３３−１〜３３−ｍはサブキャリア割当回路２３からユーザ毎にサブキャリアの割当てと復調方式を指示されている。
【００２０】
マルチキャリア信号復調回路３３−１〜３３−ｍはシリアル／パラレル変換部と、ＦＦＴ（Ｆａｓｔ  Ｆｏｕｒｉｅｒ  Ｔｒａｎｓｆｏｒｍ）部と、デマッパ部と、パラレル／シリアル変換部を有している。シリアル／パラレル変換部は受信データを各サブキャリアに振り分ける。ＦＦＴ部は各サブキャリアの時間領域のデータをフーリエ変換によって周波数領域のデータに変換する。デマッパ部は割当てられたサブキャリアと復調方式に応じて変調信号を復号しデータを抽出する。パラレル／シリアル変換部は各サブキャリアの復調信号を多重して後続回路に供給する。
【００２１】
伝送特性取得回路３４−１〜３４−ｍはサブキャリア割当回路２３から指示されると、マルチキャリア信号復調回路３３−１〜３３−ｍから供給される各サブキャリアの復調信号からサブキャリア毎の例えばＳＮＲ（Ｓｉｇｎａｌ  ｔｏ  Ｎｏｉｓｅ  Ｒａｔｉｏ：ＳＮ比）を算出し、全帯域ｎチャネルのサブキャリアそれぞれに対するＳＮＲを伝送特性として取得し、取得した伝送特性をサブキャリア割当回路２３に送信する。
【００２２】
図４にサブキャリア割当回路２３の一実施形態のハードウェア構成図を示す。図４において、サブキャリア割当回路２３は、ＣＰＵ５１、メモリ５２、入出力インタフェース５３、ハードディスク装置５４を有している。ＣＰＵ５１、メモリ５２、入出力インタフェース５３、ハードディスク装置５４はバスにて互いに接続されている。ＣＰＵ５１はメモリ５２又はハードディスク装置５４に格納されているプログラムを実行することで、後述する各種処理を実行する。なお、伝送特性取得回路３４−１〜３４−ｍも図４と同様の構成である。
【００２３】
また、入出力インタフェース５３は、マルチキャリア信号変調回路２２−１〜２２−ｍ、帯域アップコンバージョン回路２４、伝送特性取得回路３４−１〜３４−ｍとの間で信号の送受信を行う。ハードディスク装置５４には各ＯＮＵ３０−１〜３０−ｍの伝送特性を格納する伝送特性テーブルと、各ＯＮＵ３０−１〜３０−ｍのサブキャリア毎の伝送可能ビット数を格納する伝送可能ビット数テーブルと、各ＯＮＵ３０−１〜３０−ｍで使用する帯域のサブキャリア番号を格納する使用帯域テーブルなどのテーブル領域２３ａが設けられる。
【００２４】
なお、本実施形態では周波数が異なる複数の搬送波（キャリア）を使うマルチキャリア変復調方式の１つであるＤＭＴ（Ｄｉｓｃｒｅｔｅ  Ｍｕｌｔｉ  Ｔｏｎｅ）変復調方式を用いている。しかし、これに限らずＯＦＤＭ（Ｏｒｔｈｏｇｏｎａｌ  Ｆｒｅｑｕｅｎｃｙ  Ｄｉｖｉｓｉｏｎ  Ｍｕ１ｔｉｐ１ｅｘｉｎｇ：直交周波数分割多重）変復調方式などを用いても良い。
【００２５】
＜初期調整＞
図５にサブキャリア割当回路２３がシステム立ち上げ時に実行する初期調整処理の一実施形態のフローチャートを示す。図５において、ステップＳ１でサブキャリア割当回路２３は全帯域ｎチャネルのサブキャリアを例えばＱＰＳＫ変調するようマルチキャリア信号変調回路２２−１〜２２−ｍそれぞれに指示し、ｎチャネルのサブキャリアをＱＰＳＫ変調したプローブ信号を生成する。これによってＯＬＴ２０はプローブ信号を合成して電光変換したテスト光信号を生成して光ファイバ４１に送出する。なお、図６に全帯域ｎチャネルのサブキャリアを示す。
【００２６】
ステップＳ２で各ＯＮＵ３０−１〜３０−ｍそれぞれはテスト光信号を受信して光電変換して全帯域ｎチャネルのサブキャリアをＱＰＳＫ復調する。次に、ステップＳ３で各ＯＮＵ３０−１〜３０−ｍそれぞれは全帯域ｎチャネルのサブキャリアに対する図７に示すようなサブキャリア毎の伝送特性を測定し、ステップＳ４で上記伝送特性をＯＬＴ２０のサブキャリア割当回路２３に送信する。ここで、伝送特性はｎチャネルのサブキャリアそれぞれに対するＳＮＲで示される。
【００２７】
図８（Ａ）に長さの短い光ファイバ４３−１を用いているＯＮＵ３０−１における伝送特性を示す。この場合、波長が長く周波数の低い帯域（１）、波長が中程度で周波数が中程度の帯域（２）、波長が短く周波数の高い帯域（３）の全ての帯域で、図中丸印で示すように、良好な伝送特性が得られる。
【００２８】
また、図８（Ｂ）に長さの中程度の光ファイバ４３−２を用いているＯＮＵ３０−２における伝送特性を示す。この場合、低い帯域（１）と高い帯域（３）で良好な伝送特性が得られる。また、図８（Ｃ）に長さの長い光ファイバ４３−ｍを用いているＯＮＵ３０−ｍにおける伝送特性を示す。この場合、周波数の低い帯域（１）でのみ良好な伝送特性が得られる。
【００２９】
ステップＳ５でサブキャリア割当回路２３はＯＮＵ３０−１の伝送特性からサブキャリア毎の送受信可能なビット数を決定する。同様に、ＯＬＴ２０はＯＮＵ３０−２〜３０−ｍそれぞれの伝送特性からＯＮＵ３０−２〜３０−ｍそれぞれにおいて、サブキャリア毎の送受信可能なビット数を決定する。なお、図７にサブキャリア毎の送受信可能なビット数をドットで示している。ここでは縦軸がビット数に対応する。
【００３０】
ＯＮＵ３０−１〜３０−ｍそれぞれについてｎチャネルのサブキャリア（ＳＣ）毎の送受信可能なビット数ｂｉｊを示す伝送可能ビット数テーブルの一例を図９（Ａ）に示す。なお、ｉ（ｉは１〜ｍの整数）はＯＮＵ１〜ＯＮＵｍを特定する番号であり、ｊ（ｊは１〜ｎの整数）はＳＣ１〜ＳＣｎを特定する番号である。
【００３１】
ここでは、例えばｉ番目のサブキャリアのＳＮＲが所定の第１閾値より大なる場合は変調方式が８ＰＳＫ（８  Ｐｈａｓｅ  Ｓｈｉｆｔ  Ｋｅｙｉｎｇ）で４ビットの送受信が可能と判定する。また、ｉ番目のサブキャリアのＳＮＲが所定の第１閾値より小さく第２閾値（第１閾値＞第２閾値）より大なる場合は変調方式がＱＰＳＫで２ビットの送受信が可能と判定する。更に、ｉ番目のサブキャリアのＳＮＲが所定の第２閾値より小さく第３閾値（第２閾値＞第３閾値）より大なる場合は変調方式がＢＰＳＫで１ビットの送受信が可能と判定する。なお、位相変調に限らず振幅偏移変調や直角位相振幅変調を用いても良い。
【００３２】
次に、ステップＳ６でサブキャリア割当回路２３はＯＮＵ３０−１〜３０−ｍそれぞれについて、伝送特性から得たサブキャリア毎の送受信可能ビット数とＯＮＵ３０−１〜３０−ｍそれぞれで伝送に必要な必要ビット数から、ＯＮＵ３０−１〜３０−ｍそれぞれにサブキャリアを割当てる。
【００３３】
ここでは、図９（Ａ）に一点鎖線で囲む送受信可能なビット数ｂｍ（ｎ−１）とｂｍｎの合計ビット数がＯＮＵｍの必要ビット数以上で、かつ、二点鎖線で囲むＳＣ１〜ＳＣ（ｎ−２）の未割当てサブキャリアの合計ビット数が最大となる場合にｂｍ（ｎ−１），ｂｍｎのサブキャリア割当てを決定する。
【００３４】
こののち、図９（Ｂ）に一点鎖線で囲む送受信可能なビット数ｂ２２とｂ２３の合計ビット数がＯＮＵ２の必要ビット数以上で、かつ、二点鎖線で囲む未割当てサブキャリアＳＣ１，ＳＣ４〜ＳＣ（ｎ−２）の合計ビット数が最大となる場合にｂ２２とｂ２３のサブキャリア割当てを決定する。
【００３５】
更に、図９（Ｃ）に一点鎖線で囲む送受信可能なビット数ｂ１１がＯＮＵ１の必要ビット数以上で、かつ、二点鎖線で囲む未割当てサブキャリアＳＣ４〜ＳＣ（ｎ−２）の合計ビット数が最大となる場合にｂ１１のサブキャリア割当てを決定する。
【００３６】
なお、上記の例では、図９（Ａ）〜（Ｃ）ではＯＮＵ１〜ＯＮＵｍは例えば光ファイバの長さが短い順に並べており、光ファイバの長さが短い方が広い帯域で良好な伝送特性を示す場合が多いため、狭い帯域でのみ良好な伝送特性を示すＯＮＵを優先してサブキャリア割当てを行っている。
【００３７】
次に、ステップＳ７でサブキャリア割当回路２３はマルチキャリア信号変調回路２２−１〜２２−ｍ，帯域アップコンバージョン回路２４，各ＯＮＵの帯域フィルタ３２−１〜３２−ｍ，マルチキャリア信号復調回路３３−１〜３３−ｍに決定したサブキャリア割当て情報を伝達する。
【００３８】
これにより、ステップＳ８でマルチキャリア信号変調回路２２−１〜２２−ｍ，帯域アップコンバージョン回路２４，各ＯＮＵの帯域フィルタ３２−１〜３２−ｍ，マルチキャリア信号復調回路３３−１〜３３−ｍそれぞれはサブキャリア割当回路２３から伝達されたサブキャリア割当て情報に従って設定を変更する。
【００３９】
＜運用時＞
初期調整の結果、図８（Ａ）〜（Ｃ）に示す伝送特性が得られた場合には、図１０に示すサブキャリア割当回路２３のテーブル領域２３ａ内の使用帯域テーブル２３ａ−１では、ＯＮＵ３０−ｍに帯域（１）のサブキャリア番号ＳＣ１，ＳＣ２，ＳＣ３を割当てている。また、ＯＮＵ３０−２に帯域（３）のサブキャリア番号ＳＣ７，ＳＣ８，ＳＣ９を割当てており、ＯＮＵ３０−１に帯域（２）のサブキャリア番号ＳＣ４，ＳＣ５，ＳＣ６を割当てている。
【００４０】
図１０において、サブキャリア割当回路２３は使用帯域テーブル２３ａ−１の内容に基づいてマルチキャリア信号変調回路２２−１〜２２−ｍ，帯域アップコンバージョン回路２４，ＯＮＵ３０−１〜３０−ｍそれぞれの動作制御のための指示を出す。これにより、ユーザ毎のｄａｔａ＃１，ｄａｔａ＃２，ｄａｔａ＃３は分離回路２１で分離されてマルチキャリア信号変調回路２２−１，２２−２，２２−ｍに供給され、マルチキャリア信号変調回路２２−１はｄａｔａ＃１で３つのサブキャリア（ＳＣ１，ＳＣ２，ＳＣ３）をデジタル変調する。また、マルチキャリア信号変調回路２２−２はｄａｔａ＃２で３つのサブキャリア（ＳＣ７，ＳＣ８，ＳＣ９）をデジタル変調し、マルチキャリア信号変調回路２２−ｍはｄａｔａ＃３で３つのサブキャリア（ＳＣ４，ＳＣ５，ＳＣ６）をデジタル変調する。
【００４１】
また、帯域アップコンバージョン回路２４はマルチキャリア信号変調回路２２−１から供給される３つの被変調サブキャリアをサブキャリア番号ＳＣ４，ＳＣ５，ＳＣ６の帯域（２）にアップコンバージョンする。同様に、帯域アップコンバージョン回路２４はマルチキャリア信号変調回路２２−２から供給される３つの被変調サブキャリアをサブキャリア番号ＳＣ７，ＳＣ８，ＳＣ９の帯域（３）にアップコンバージョンする。また、帯域アップコンバージョン回路２４はマルチキャリア信号変調回路２２−ｍから供給される３つの被変調サブキャリアをサブキャリア番号ＳＣ１，ＳＣ２，ＳＣ３の帯域（１）にアップコンバージョンする。
【００４２】
そして、ユーザ毎にアップコンバージョンされた信号は合成回路２５で合成つまり周波数多重される。合成回路２５の出力するマルチキャリア信号はＥ／Ｏ変換部２６で電気信号から光信号に変換されて光ファイバ４１に送出される。
【００４３】
光ファイバ４３−１からＯＮＵ３０−１には全ての帯域で良好な伝送特性のマルチキャリア信号が供給され、光ファイバ４３−２からＯＮＵ３０−２には低い帯域（１）と高い帯域（３）で良好な伝送特性のマルチキャリア信号が供給され、光ファイバ４３−ｍからＯＮＵ３０−ｍには低い帯域（１）でのみ良好な伝送特性のマルチキャリア信号が供給される。
【００４４】
ＯＮＵ３０−１の帯域フィルタ３２−１は帯域（２）を通過させ、マルチキャリア信号復調回路３３−１は帯域（１）のサブキャリア番号ＳＣ４，ＳＣ５，ＳＣ６の被変調サブキャリアからｄａｔａ＃１を復調して出力する。また、ＯＮＵ３０−２の帯域フィルタ３２−２は帯域（３）を通過させ、マルチキャリア信号復調回路３３−２は帯域（３）のサブキャリア番号ＳＣ７，ＳＣ８，ＳＣ９の被変調サブキャリアからｄａｔａ＃２を復調して出力する。また、ＯＮＵ３０−ｍの帯域フィルタ３２−ｍは帯域（１）を通過させ、マルチキャリア信号復調回路３３−ｍは帯域（１）のサブキャリア番号ＳＣ１，ＳＣ２，ＳＣ３９の被変調サブキャリアからｄａｔａ＃３を復調して出力する。
【００４５】
このようにして、全帯域（１），（２），（３）を有効に利用することができ、周波数利用効率を向上することができる。
（付記１）
ユーザ毎に異なるサブキャリアをユーザ毎のデータで変調して多重した光多重信号を局用装置から出力し、前記光多重信号を分岐してユーザ毎の複数の加入者用装置に伝送し、各加入者用装置でユーザ毎のデータを復調するＰＯＮシステムであって、
前記局用装置からテスト用信号を送信し、前記テスト用信号を受信した前記複数の加入者用装置における各サブキャリアに関する伝送特性を取得する取得手段と、
前記複数の加入者用装置における各サブキャリアに関する伝送特性に応じて前記複数の加入者用装置に１又は複数のサブキャリアを割当てる割当手段と、
を有することを特徴としたＰＯＮシステム。
（付記２）
付記１記載のＰＯＮシステムにおいて、
前記局用装置は、
前記割当手段からユーザ毎に割当てられた１又は複数のサブキャリアを前記ユーザ毎のデータでデジタル変調する複数の逆フーリエ変換回路と、
前記複数の逆フーリエ変換回路が出力するユーザ毎に割当てられた１又は複数の被変調サブキャリアを前記割当手段からユーザ毎に割当てられた帯域に周波数変換する周波数変換回路と、
前記周波数変換回路の出力する各被変調サブキャリアを合成したのち電光変換を行って前記光多重信号として出力する電光変換回路と、
を有することを特徴としたＰＯＮシステム。
（付記３）
付記２記載のＰＯＮシステムにおいて、
前記ユーザ毎の複数の加入者用装置は、
受光した前記光多重信号を光電変換する光電変換回路と、
前記光電変換回路の出力信号を供給されて前記割当手段からユーザ毎に割当てられた帯域を通過させる帯域フィルタ回路と、
前記帯域フィルタ回路それぞれを通過した前記割当手段からユーザ毎に割当てられた１又は複数の被変調サブキャリアから前記ユーザ毎のデータをデジタル復調するフーリエ変換回路と、
を有することを特徴とするＰＯＮシステム。
（付記４）
付記３記載のＰＯＮシステムにおいて、
前記取得手段は、サブキャリア毎の復調信号のＳＮ比を前記各サブキャリアに関する伝送特性として取得することを特徴とするＰＯＮシステム。
（付記５）
付記３又は４記載のＰＯＮシステムにおいて、
前記割当手段は、前記複数の加入者用装置における各サブキャリアに関する伝送特性から、前記複数の加入者用装置におけるサブキャリア毎の伝送可能ビット数を決定し、前記複数の加入者用装置におけるサブキャリア毎の伝送可能ビット数と、前記複数の加入者用装置それぞれの必要ビット数から、１又は複数のサブキャリアの伝送可能ビット数の合計ビット数が前記必要ビット数以上となるように、前記複数の加入者用装置に１又は複数のサブキャリアを割当てることを特徴とするＰＯＮシステム。
（付記６）
ユーザ毎に異なるサブキャリアをユーザ毎のデータで変調して多重した光多重信号を局用装置から出力し、前記光多重信号を分岐してユーザ毎の複数の加入者用装置に伝送し、各加入者用装置でユーザ毎のデータを復調するＰＯＮシステムのサブキャリア割当方法であって、
前記局用装置からテスト用信号を送信し、前記テスト用信号を受信した前記複数の加入者用装置における各サブキャリアに関する伝送特性を取得し、
前記複数の加入者用装置における各サブキャリアに関する伝送特性に応じて前記複数の加入者用装置に１又は複数のサブキャリアを割当てる、
ことを特徴とするサブキャリア割当方法。
（付記７）
付記６記載のサブキャリア割当方法において、
前記局用装置は、
前記ユーザ毎に割当てられた１又は複数のサブキャリアを前記ユーザ毎のデータでデジタル変調し、
前記ユーザ毎に割当てられた１又は複数の被変調サブキャリアを前記ユーザ毎に割当てられた帯域に周波数変換し、
前記周波数変換された各被変調サブキャリアを合成したのち電光変換を行って前記光多重信号として出力する、
ことを特徴としたサブキャリア割当方法。
（付記８）
付記７記載のサブキャリア割当方法において、
前記ユーザ毎の複数の加入者用装置は、
受光した前記光多重信号を光電変換し、
前記光電変換した信号を供給されて前記ユーザ毎に割当てられた帯域を通過させ、
前記帯域フィルタ回路それぞれを通過した前記ユーザ毎に割当てられた１又は複数の被変調サブキャリアから前記ユーザ毎のデータをデジタル復調する、
ことを特徴とするサブキャリア割当方法。
（付記９）
付記８記載のサブキャリア割当方法において、
前記伝送特性を取得は、サブキャリア毎の復調信号のＳＮ比を前記各サブキャリアに関する伝送特性として取得することを特徴とするサブキャリア割当方法。
（付記１０）
付記８又は９記載のサブキャリア割当方法において、
前記サブキャリアの割当ては、前記複数の加入者用装置における各サブキャリアに関する伝送特性から、前記複数の加入者用装置におけるサブキャリア毎の伝送可能ビット数を決定し、前記複数の加入者用装置におけるサブキャリア毎の伝送可能ビット数と、前記複数の加入者用装置それぞれの必要ビット数から、１又は複数のサブキャリアの伝送可能ビット数の合計ビット数が前記必要ビット数以上となるように、前記複数の加入者用装置に１又は複数のサブキャリアを割当てることを特徴とするサブキャリア割当方法。
【符号の説明】
【００４６】
２０  ＯＬＴ
２１  分離回路
２２−１〜２２−ｍ  マルチキャリア信号変調回路
２３  サブキャリア割当回路
２４  帯域アップコンバージョン回路
２５  合成回路
２６  Ｅ／Ｏ変換部
３０−１〜３０−ｍ  ＯＮＵ
３１  Ｏ／Ｅ変換部
３２−１〜３２−ｍ  帯域フィルタ
３３−１〜３３−ｍ  マルチキャリア信号復調回路
３４−１〜３４−ｍ  伝送特性取得回路
４１，４４３−１〜４３−ｍ  光ファイバ
４２  光スプリッタ
５１  ＣＰＵ
５２  メモリ
５３  入出力インタフェース
５４  ハードディスク装置
【図１】
2014075751.tif 000003
【図３】
2014075751.tif 000004
【図４】
2014075751.tif 000005
【図５】
2014075751.tif 000006
【図６】
2014075751.tif 000007
【図７】
2014075751.tif 000008
【図８】
2014075751.tif 000009
【図９】
2014075751.tif 000010
【図１０】
2014075751.tif 000011
【図２】
2014075751.tif 000012